(57)【要約】【課題】電動機において、固定子の全高を低くすることを可能とする安価で小型の電動機を提供することを目的とする。【解決手段】電源端子４と電源とを接続するリード線７の電源端子側端部に前記電源端子４のタブ４ａに挿入して接続する旗型端子１４を備え、複数個の前記電源端子４を固定子鉄心２の端面から同一高さに配置し、前記タブ４ａの面が前記固定子鉄心２の端面に対して垂直になるように配置し、複数個の前記電源端子４のタブ４ａの面は互いに同一平面上に無いように配置したことにより、旗型端子１４とリード線７が干渉することなく、リード線７を固定子鉄心２から旗型端子１４の高さより低い位置に配置することができるため、固定子１の全高を低減することができる。【選択図】　図１
2004040866.tif 000002
【特許請求の範囲】
【請求項１】
固定子鉄心に巻線を巻装し、前記巻線の複数個の電源側端部に複数個の電源端子を接続し、前記電源端子に板状の突起部からなるタブを備え、銅線を絶縁チューブで被ったリード線の端部に、前記タブに圧入することにより電源端子と導通する板状の突起部と前記板状の突起部の面のほぼ同一面で前記タブへの圧入方向に対して直角方向に前記リード線をかしめるかしめ部を有する旗型端子を接続し、前記リード線の他方の端部に外部電源に接続するための端子をかしめ、前記かしめ部を樹脂からなるブロック状の成形品であるクラスターに挿入して構成されるリード線組立部の前記旗型端子を前記電源端子のタブに圧入してなる固定子と、前記固定子鉄心の内径円筒面に対向して回転自在に回転する回転子を有する電動機であって、複数個の前記電源端子を前記固定子鉄心の端面から同一高さに配置し、前記タブの面が前記固定子鉄心の端面に対して垂直になるように配置し、複数個の前記電源端子のタブの面は互いに同一平面上に無いように配置したことを特徴とする電動機。
【請求項２】
複数個の電源端子を同一円上に配置することを特徴とする請求項１に記載の電動機。
【請求項３】
リード線を固定子鉄心内にて電源端子が配置されている端面側から反対側の端面側を貫通して配線することを特徴とする請求項１から請求項２のいずれか１項に記載の電動機。
【請求項４】
非導電体からなる固定子鉄心と巻線を絶縁するための絶縁端板Ａと絶縁端板Ｂを固定子鉄心の両端面にそれぞれ配置し、複数の電源端子保持部を前記絶縁端板Ａに備えたことを特徴とする請求項１から請求項３のいずれか１項に記載の電動機。
【請求項５】
絶縁端板Ａに柱を有し、前記柱と複数のリード線を糸にて固定することを特徴とする請求項４に記載の電動機。
【請求項６】
絶縁端板Ｂに柱を有し、前記柱と複数のリード線を糸にて固定することを特徴とする請求項４から請求項５のいずれか１項に記載の電動機。
【請求項７】
絶縁端板Ａに複数の壁を有し、前記壁の間に複数のリード線を嵌合することにより複数のリード線を固定子に固定することを特徴とする請求項４に記載の電動機。
【請求項８】
絶縁端板Ｂに複数の壁を有し、前記壁の間に複数のリード線を嵌合することにより複数のリード線を固定子に固定することを特徴とする請求項４に記載の電動機。
【請求項９】
非導電体からなり旗型端子を覆う電源カバーを有することを特徴とする請求項１から請求項８のいずれか１項に記載の電動機。
【請求項１０】
電源カバーにリード線を通す穴を有することを特徴とする請求項９に記載の電動機。
【請求項１１】
絶縁端板Ａに電源カバーを保持する突起部を有し、前記電源カバーに前記突起部に嵌合する穴を有することを特徴とする請求項１０に記載の電動機。
【請求項１２】
巻線が固定子鉄心の内径円筒面に向かって径方向に延びる歯部の周りを巻回してなる集中巻であることを特徴とする請求項１から請求項１１のいずれか１項に記載の電動機。
【発明の詳細な説明】
【０００１】
【発明の属する技術分野】
本発明は冷凍空調機器用電動圧縮機やその他の一般産業用に使用される電動機に関するものである。
【０００２】
【従来の技術】
従来、冷凍空調機器用電動圧縮機やその他の一般産業用に使用される電動機は、固定子鉄心に巻装した巻線の電源側の端部とリード線との接続方法として図１５に示されているものがある。以下、図面を参照しながら前記従来の巻線の電源側の接続方法を説明する。
【０００３】
図１５は従来の接続方法の電動機の正面図である。図１６は側面図である。図１５において、固定子１の固定子鉄心２に巻線３が巻装されている。電源端子４は、タブ４ａの面が固定子鉄心２の端面の垂直面に位置するように配置され、固定子鉄心２上に設けられた絶縁端板５に固定されている。巻線３の端部６は電源端子４のスリット部４ｂに圧入され、端部６の絶縁被膜が剥がれて巻線３と電源端子４は導通している。リード線７の端部にはスリーブ型端子８がタブ挿入方向と同一方向にリード線７が配置されるようにかしめられ、他方の端部はクラスター９に接続する。タブ４ａにスリーブ型端子８を挿入することにより巻線３とリード線７を接続する。クラスター９は電源に接続される。
【０００４】
【発明が解決しようとする課題】
しかしながら、前記従来の接続方法は、電源部においてリード線が固定子端面から垂直に立ち上がり、リード線はスリーブ型端子からいくらかの長さが固定子端面から垂直に位置するため、固定子の全高が高くなる。
【０００５】
本発明は、従来の課題を解決するもので、巻線の電源部の高さを低くし、固定子の全高を低くすることを可能とする小型の電動機を提供することを目的とする。
【０００６】
【課題を解決するための手段】
この目的を達成するために本発明は、複数個の電源端子を固定子鉄心の端面から同一高さに配置し、タブの面が固定子鉄心の端面に対して垂直になるように配置し、複数個の前記電源端子のタブの面は互いに同一平面上に無いように配置したことにより、それぞれの旗型端子とリード線が電源端子近傍において干渉することなく、リード線を固定子鉄心から旗型端子の高さ以下に配置することができるため、固定子の全高を低減することができる。
【０００７】
【発明の実施の形態】
本発明の請求項１に記載の発明は、固定子鉄心に巻線を巻装し、前記巻線の複数個の電源側端部に複数個の電源端子を接続し、前記電源端子に板状の突起部からなるタブを備え、銅線を絶縁チューブで被ったリード線の端部に、前記タブに圧入することにより電源端子と導通する板状の突起部と前記板状の突起部の面のほぼ同一面で前記タブへの圧入方向に対して直角方向に前記リード線をかしめるかしめ部を有する旗型端子を接続し、前記リード線の他方の端部に外部電源に接続するための端子をかしめ、前記かしめ部を樹脂からなるブロック状の成形品であるクラスターに挿入して構成されるリード線組立部の前記旗型端子を前記電源端子に圧入してなる固定子と、前記固定子鉄心の内径円筒面に対向して回転自在に回転する回転子を有する電動機であって、複数個の前記電源端子を前記固定子鉄心の端面から同一高さに配置し、前記タブの面が前記固定子鉄心の端面に対して垂直になるように配置し、複数個の前記電源端子のタブの面は互いに同一平面上に無いように配置したことにより、電源端子近傍においてそれぞれの旗型端子とリード線が干渉することなく、リード線が固定子鉄心から旗型端子の高さ以下に配置することができるので、固定子の全高を低減することができるという作用を有する。
【０００８】
請求項２に記載の発明によれば、請求項１に記載の発明に、さらに複数個の電源端子を同一円上に配置することにより、固定子鉄心を前記円の中心点を支点として回転させながら複数個の前記電源端子を配置することができ、電源端子を配置する設備を容易に作成でき自動化ができるという作用を有する。
【０００９】
請求項３に記載の発明によれば、請求項１から請求項２のいずれか１項に記載の発明に、さらにリード線を固定子鉄心内にて電源端子が配置されている端面側から反対側の端面側を貫通して配線することにより、電源端子が配置されている端面側に電動機が取り付けられている機器の部品が配置され電源端子が配置されている端面側からリード線を前記機器の電源部に接続することが困難である場合に、リード線を電源端子が配置されている端面の反対側の端面から引き出し前記機器の電源部に接続することができるという作用を有する。
【００１０】
請求項４に記載の発明によれば、請求項１から請求項３のいずれか１項に記載の発明に、さらに非導電体からなる固定子鉄心と巻線を絶縁するための絶縁端板Ａと絶縁端板Ｂを固定子鉄心の両端面にそれぞれ配置し、複数の電源端子保持部を前記絶縁端板Ａに備えたことにより、前記絶縁端板を固定子鉄心に固定することにより、前記電源端子保持部の位置を容易に固定することができるという作用を有する。
【００１１】
請求項５に記載の発明によれば、請求項４に記載の発明に、さらに絶縁端板Ａに柱を有し、前記柱とリード線を糸にて固定することにより、電動機の運転時の振動によるリード線の振動が旗型端子のかしめ部に伝わらず、かしめ部でのリード線の疲労破壊による断線を防ぐことができるという作用を有する。
【００１２】
請求項６に記載の発明によれば、請求項４から請求項５のいずれか１項に記載の発明に、さらに絶縁端板Ｂに柱を有し、前記柱とリード線を糸にて固定することにより、電動機の運転時の振動によるリード線の振動が旗型端子のかしめ部に伝わらず、かしめ部でのリード線の疲労破壊による断線を防ぐことができるという作用を有する。
【００１３】
請求項７に記載の発明によれば、請求項４に記載の発明に、さらに絶縁端板Ａに複数の壁を有し、前記壁の間にリード線を嵌合しリード線を固定することにより、糸等の固定用の部品を使用せずに容易に電動機の運転時の振動によるリード線の振動が旗型端子のかしめ部に伝わらず、かしめ部でのリード線の疲労破壊による断線を防ぐことができるという作用を有する。
【００１４】
請求項８に記載の発明によれば、請求項４に記載の発明に、さらに絶縁端板Ｂに複数の壁を有し、前記壁の間にリード線を嵌合しリード線を固定することにより、糸等の固定用の部品を使用せずに容易に電動機の運転時の振動によるリード線の振動が旗型端子のかしめ部に伝わらず、かしめ部でのリード線の疲労破壊による断線を防ぐことができるという作用を有する。
【００１５】
請求項９に記載の発明によれば、請求項１から請求項８のいずれか１項に記載の発明に、さらに非導電体からなり旗型端子を覆う電源カバーを有することにより、通電時の作業中に、作業者が感電することを防ぐことができるという作用を有する。
【００１６】
請求項１０に記載の発明によれば、請求項９に記載の発明に、さらに電源カバーにリード線を通す穴を有することにより、電動機の振動により電源カバーが外れることを防ぐことができるという作用を有する。
【００１７】
請求項１１に記載の発明によれば、請求項１０に記載の発明に、さらに絶縁端板Ａに電源カバーを保持する突起部を有し、電源カバーに前記突起部に嵌合する穴を有することにより、電動機の振動により電源カバーが外れることを防ぐことができるという作用を有する。
【００１８】
請求項１２に記載の発明によれば、請求項１から請求項１１のいずれか１項に記載の発明に、さらに巻線が固定子鉄心の内径円筒面に向かって径方向に延びる歯部の周りを巻回してなる集中巻であることにより、電源部のみならず巻線部を含めて固定子の全高を低減することができるという作用を有する。
【００１９】
【実施例】
以下本発明による電動機の実施例について、図面を参照しながら説明する。なお従来と同一構成については、同一符号を付して詳細な説明を省略する。また回転子は一般的な電動機と同様の構成であるため、回転子についての説明も省略する。
【００２０】
（実施例１）
図１から図２を用いて説明する。図１は本発明の実施例１による電動機の固定子の正面図である。図１において１は固定子、２は固定子鉄心である。固定子鉄心２に巻線３が巻装されている。固定子鉄心２上の複数の電源端子４は絶縁端板５ａ上に設けられた複数の電源端子保持部１０により保持されている。巻線３の電源側の端部６は電源端子４のスリット部４ｂに圧入されることにより巻線の絶縁被膜が剥がれ巻線３と電源端子４は導通する。電源端子４は固定子鉄心２上に保持された状態で固定子鉄心２の端面に対して垂直な面を持つタブ４ａを有する。複数の電源端子４のタブ４ａの面４ａ１、４ａ２、４ａ３は互いに別の面１１ａ１、１１ａ２、１１ａ３上に配置される。図２に側面図を示す。１２はリード線組立品１２である。リード線７の端部にリード線７に対して電源端子４のタブ４ａ１に挿入する面１３が垂直になるような旗型端子１４をかしめて接続する。リード線７の他方の端部をクラスター９に接続する。複数の旗型端子１４を複数の電源端子４のタブ４ａに挿入することにより、複数の電源端子４とリード線７が接触することなく巻線３と電源とを接続することができる。さらに固定子鉄心上の保持部に配置した複数の電源端子を、互いのタブの面を同一平面としないように配置することにより、リード線７の旗型端子接続部においてリード線７は固定子鉄心２の端面に対して平行に配置され、旗型端子１４とリード線７が干渉することなく、リード線７を固定子鉄心から旗型端子の高さより低い位置に配置することができるため、固定子の全高を低減することができる。
【００２１】
（実施例２）
図３を用いて説明する。図３は、本発明の実施例２による電動機の固定子の正面図である。図３において、電源端子４は点１６から同一半径Ｒの円１７上に位置する。したがって、固定子鉄心２を点１６を中心として回転させながら複数の電源端子４を電源端子保持部１０に圧入し固定することができ、電源端子を配置する設備を容易に作成でき自動化ができる。
【００２２】
（実施例３）
図４と図５を用いて説明する。図４は、本発明の実施例３による電動機の固定子の正面図である。図５は側面図である。リード線を電源端子４が配置されている端面側から反対側の端面側を貫通して配線されることより、電源端子４が配置されている端面側に電動機が取り付けられている機器の部品１８が配置され、電源端子４が配置されている端面側からリード線７を前記機器の電源部１９に接続することが困難である場合に、リード線７を電源端子４が配置されている端面の反対側の端面から引き出し前記機器の電源部１９に接続することができる。
【００２３】
（実施例４）
図６を用いて説明する。図６は、本発明の実施例４による電動機の固定子の側面図である。２０は絶縁端板５ａに上に設けられた柱である。柱２０とリード線７を糸２１にて固定することにより、電動機の運転時におけるリード線７の振動が旗型端子１４のかしめ部１４ａに伝わらず、かしめ部１４ａでのリード線７の疲労破壊による断線を防ぐことができる。
【００２４】
（実施例５）
図７を用いて説明する。図７は、本発明の実施例５による電動機の固定子の側面図である。２２は絶縁端板５ｂに上に設けられた柱である。柱２２とリード線７を糸２３にて固定することにより、電動機の運転時におけるリード線７の振動が旗型端子１４のかしめ部１４ａに伝わらず、かしめ部１４ａでのリード線７の疲労破壊による断線を防ぐことができる。
【００２５】
（実施例６）
図８と図９を用いて説明する。図８は、本発明の実施例６による電動機の固定子の正面図である。図９は側面図である。絶縁端板５ａに複数の壁２４ａ、２４ｂ、２４ｃを有し、前記壁２４ａ、２４ｂ、２４ｃの間にリード線７を嵌合しリード線７を固定することにより、糸を使用せずに電動機の運転時におけるリード線７の振動が旗型端子１４のかしめ部１４ａに伝わらず、かしめ部１４ａでのリード線７の疲労破壊による断線を防ぐことができる。
【００２６】
（実施例７）
図１０を用いて説明する。図１０は、本発明の実施例７による電動機の固定子の側面図である。絶縁端板５ｂに複数の壁２５ａ、２５ｂ、２５ｃを有し、前記壁２５ａ、２５ｂ、２５ｃの間にリード線７を嵌合しリード線７を固定することにより、糸を使用せずに電動機の運転時におけるリード線７の振動が旗型端子１４のかしめ部１４ａに伝わらず、かしめ部１４ａでのリード線７の疲労破壊による断線を防ぐことができる。
【００２７】
（実施例８）
図１１と図１２を用いて説明する。図１１は、本発明の実施例８による電動機の固定子の正面図である。図１２は側面図である。２６は非導電体からなり旗型端子１４を覆う電源カバーである。電源カバー２６で旗型端子１４を覆うことにより、通電時の作業中に、作業者が感電することを防ぐことができる。
【００２８】
（実施例９）
図１３と図１４を用いて説明する。図１３は、本発明の実施例８による電動機の固定子の正面図である。図１４は側面図である。絶縁端板５ａに電源カバー２７を保持する突起部２８を有し、電源カバー２７に突起部２８に嵌合する穴２９を有することにより、電動機の運転時の振動により電源カバー２７が外れることを防ぐことができる。
【００２９】
【発明の効果】
以上のように請求項１に記載の発明によれば、複数個の電源端子を固定子鉄心の端面から同一高さに配置し、タブの面が前記固定子鉄心の端面に対して垂直になるように配置し、複数個の前記電源端子のタブの面は互いに同一平面上に無いように配置したことにより、リード線の旗型端子接続部においてリード線が固定子鉄心の端面に対して平行に配線され、旗型端子とリード線が干渉することなくリード線が固定子鉄心から旗型端子の高さより低い位置に配置することができるので、固定子の全高を低減することができる。
【００３０】
請求項２に記載の発明によれば、請求項１に記載の発明に、さらに複数個の電源端子を同一円上に配置することにより、固定子鉄心をある点を中心として回転させながら複数個の前記電源端子を配置することができ、前記電源端子を配置する設備を容易に作成でき、前記電源端子を配置する時間の短縮および自動化ができる。
【００３１】
請求項３に記載の発明によれば、請求項１から請求項２のいずれか１項に記載の発明に、さらに非導電体からなる固定子鉄心と巻線を絶縁するための絶縁端板を固定子鉄心の端面に配置し、複数の電源端子保持部を前記絶縁端板に備え、前記絶縁端板を固定子鉄心に固定することにより、電源端子を配置する工程において、固定子鉄心を固定することにより前記電源端子保持部の位置を容易に固定することができ、品質上安定して電源端子を配置することができる。
【００３２】
請求項４に記載の発明によれば、請求項３に記載の発明に、さらに絶縁端板に柱を有し、柱とリード線を糸にて固定することにより、電動機の運転時の振動が旗型端子のかしめ部に伝わらず、かしめ部でのリード線の疲労破壊による断線を防ぐことができ、品質上問題ない電動機を提供することができる。
【００３３】
請求項５に記載の発明によれば、請求項３に記載の発明に、さらに絶縁端板に複数の壁を有し、前記壁の間にリード線を嵌合しリード線を固定することにより、糸を使用せずに容易に、電動機の運転時の振動を旗型端子のかしめ部に伝わらず、かしめ部でのリード線の疲労破壊による断線を防ぐことができる。
【００３４】
請求項６に記載の発明によれば、請求項１から請求項５のいずれか１項に記載の発明に、さらに非導電体からなり旗型端子を覆う電源カバーを有することにより、通電しながら電動機を電動圧縮機等の機器に組み立て作業中に、作業者が感電することを防ぐことができるという作用を有する。さらに前記電動圧縮機等の機器内に組み込まれた状態にて、機器内におけるバリ等の導電体が電源端子付近に配置され電源端子が短絡することを防ぐことができる。
【００３５】
請求項７に記載の発明によれば、請求項６に記載の発明に、さらに電源カバーにリード線を通す穴を有することにより、電動機の振動により電源カバーが外れることを防ぐことができ、さらに前記電動圧縮機等の機器内に組み込まれた状態にて、機器内におけるバリ等の導電体が電源端子付近に配置され電源端子が短絡することを防ぐことができる。
【００３６】
請求項８に記載の発明によれば、請求項６に記載の発明に、さらに絶縁端板に電源カバーを保持する突起部を有し、電源カバーに前記突起部に嵌合する穴部を有することにより、電動機の振動により電源カバーが外れることを防ぐことができ、さらに前記電動圧縮機等の機器内に組み込まれた状態にて、機器内におけるバリ等の導電体が電源端子付近に配置され電源端子が短絡することを防ぐことができる。
【００３７】
請求項９に記載の発明によれば、請求項６に記載の発明に、さらに絶縁端板に電源カバーを保持する掛止め部を有し、電源カバーに前記掛止め部に掛かる脚部を有することにより、電動機の振動により電源カバーが外れることを防ぐことができ、さらに前記電動圧縮機等の機器内に組み込まれた状態にて、機器内におけるバリ等の導電体が電源端子付近に配置され電源端子が短絡することを防ぐことができる。
【００３８】
請求項１０に記載の発明によれば、請求項６から請求項９のいずれか１項に記載の発明に、さらに電源カバーにリード線の配置を規制するガイドを有することにより、運転時の電動機の振動によりリード線の絶縁被膜が電動機の周囲の構造物との接触により摩耗することを防ぐことができ、リード線の絶縁を保つことができる。
【００３９】
請求項１１に記載の発明によれば、請求項１０に記載の発明に、さらに絶縁端板Ａに電源カバーを保持する突起部を有し、電源カバーに前記突起部に嵌合する穴を有することにより、電動機の振動により電源カバーが外れることを防ぐことができる。
【００４０】
請求項１２に記載の発明によれば、請求項１から請求項１１のいずれか１項に記載の発明に、さらに巻線が固定子鉄心の内径円筒面に向かって径方向に延びる歯部の周りを巻回してなる集中巻であることにより、電源部のみならず巻線部を含めて固定子の全高を低減することができる。
【図面の簡単な説明】
【図１】本発明の実施例１による電動機の固定子の正面図
【図２】本発明の実施例１による電動機の固定子の側面図
【図３】本発明の実施例２による電動機の固定子の正面図
【図４】本発明の実施例３による電動機の固定子の正面図
【図５】本発明の実施例３による電動機の固定子の側面図
【図６】本発明の実施例４による電動機の固定子の側面図
【図７】本発明の実施例５による電動機の固定子の側面図
【図８】本発明の実施例６による電動機の固定子の正面図
【図９】本発明の実施例６による電動機の固定子の側面図
【図１０】本発明の実施例７による電動機の固定子の側面図
【図１１】本発明の実施例８による電動機の固定子の正面図
【図１２】本発明の実施例８による電動機の固定子の側面図
【図１３】本発明の実施例９による電動機の固定子の正面図
【図１４】本発明の実施例９による電動機の固定子の側面図
【図１５】従来の電動機の固定子の正面図
【図１６】従来の電動機の固定子の側面図
【符号の説明】
１　固定子
２　固定子鉄心
３　巻線
４　電源端子
４ａ　タブ
４ａ１、４ａ２、４ａ３　タブの面
５、５ａ、５ｂ　絶縁端板
７　リード線
８　スリーブ型端子
１０　電源端子保持部
１１　電源端子のタブの面
１２　リード線組立品
１４　旗型端子
１６　点
１７　円弧
２０、２２　柱
２１、２３　糸
２４ａ、２４ｂ、２４ｃ、２５ａ、２５ｂ、２５ｃ　壁
２６、２７　電源カバー
２８　突起部
２９　穴
【図１】
2004040866.tif 000003
【図２】
2004040866.tif 000004
【図３】
2004040866.tif 000005
【図４】
2004040866.tif 000006
【図５】
2004040866.tif 000007
【図６】
2004040866.tif 000008
【図７】
2004040866.tif 000009
【図８】
2004040866.tif 000010
【図９】
2004040866.tif 000011
【図１０】
2004040866.tif 000012
【図１１】
2004040866.tif 000013
【図１２】
2004040866.tif 000014
【図１３】
2004040866.tif 000015
【図１４】
2004040866.tif 000016
【図１５】
2004040866.tif 000017
【図１６】
2004040866.tif 000018